Podtech/llm-jp-corpus-v4-ja_patent huggingface dataset:
(57)【要約】      （修正有）【課題】その都度必要量のコーヒー豆をむら無く均一に焙煎できる小型家庭用焙煎器を提供する。【解決手段】内側に豆を収納できるよう金網１および複数の穴のあいた金属製の椀型器２を向きあって構成されたドラムの一方の器をその中心に中空軸で支持し、他方の器を中空軸の中を通る中心軸３にて支持する。コーヒー豆の投入は、本体ボックスを焙煎ドラムが上に向くように倒すことにより中心軸３がバネ４に抗して押されて中心軸端に設けられた焙煎ドラムが開かれる．この状態で生豆の投入がなされ、次に焙煎ドラムが閉じられるように焙煎器を持ち上げ焙煎ドラム軸が水平になるように焙煎器を起こす。タイマーが働きブザーが鳴動するので豆の色を見ながら好みの焼き具合で火を止め、ドラムの回転が停止した後、中心軸を手で押してドラムを開放し焙煎した豆を器に受ける。【選択図】図１
2011223937.tif 000002
【特許請求の範囲】
【請求項１】
中空軸とその中を通る中心軸とにそれぞれ固定された二つの椀型器を向き合って密着させることにより構成された焙煎ドラムで、密着させるために中心軸の長さを中空軸より長くしてバネ受けを設けその間に押しバネを挿入することにより二つの椀型器を密着させドラムを構成する方法。
【発明の詳細な説明】
【技術分野】
【０００１】
本発明はコーヒー豆焙煎器の改良に関し、特にコーヒーの生豆を焙煎するためのコーヒー豆の投入方法、焙煎方法、取り出し方法の改良に関する。
【背景技術】
【０００２】
従来、一般家庭での焙煎は取手付きの金網製の煎り網、または手回し式の網か薄い金属製のドラムの中に豆を入れて焙煎する方法があるが、均一に豆を煎るには熱源との距離の関係などで不都合があった。
【０００３】
金網製の焙煎ドラムなどでは中にコーヒーの薄皮のカスが残りやすく、また焙煎中の豆の色が見にくいなどの不都合があった。
【０００４】
手回し式の焙煎器の場合、焙煎ドラムを本体から外して豆の注入や取出しの作業があり、取扱いの煩わしさがあった。
【０００５】
取手付きの金網製の煎り網、または手回し式の網か薄い金属製のドラムでの焙煎ではコーヒーの薄皮のカスが飛散しやすく掃除に手間がかかる不都合があった。
【先行技術文献】
【特許文献】
【０００６】
【特許文献１】特開２００６−１７４７２３号公報
【非特許文献】
【０００７】
【非特許文献１】田口護著「プロが教えるこだわりの珈琲」日本放送出版協会  ２０００年
【発明の概要】
【発明が解決しようとする課題】
【０００８】
解決しようとする問題点は簡単な操作で豆の注入、取出しが可能で、むらのない焙煎とコーヒーの薄皮のカスの飛散を抑えることである。
【課題を解決するための手段】
【０００９】
上記の目的を達成するために、その都度必要な生豆を焙煎するために少量（約５０ｇ）が最適容量の焙煎ドラムとし、これを回転軸方向で開閉できる構造とした。ドラムは直流ギヤードモーターを使用しタイミングプーリーとタイミングベルトを介して回転する構造とし生豆をむらなく焙煎できるようにした。ドラムは中心軸に固定された椀型器を網状として火が通りやすくし、中空軸に固定された椀型器は長穴の開いた器で生豆の薄皮が飛び出しやすくした。生豆の入ったドラムの回転スイッチを投入し、アルコールランプを点火すると同時に焙煎時間タイマーをセットすると、設定した時間でブザーが鳴動するので焙煎の色具合を見ながらアルコールランプを消火する。こげ過ぎないように適当な状況で受け皿を準備してモーターを止め、中心軸を押してドラムを開き焙煎した豆を取り出すことが出来る。生豆の薄皮はほとんど下に落ちるので、アルコールランプの回りにおかれたカス受けプレートに受けることができる。
【発明の効果】
【００１０】
本発明によるコーヒー豆焙煎器は、一般家庭の台所で換気をしながら容易に本格的なコーヒーを楽しめ、コーヒー豆の投入から排出まで簡単な操作で色々な味が楽しむことができる。コーヒー豆から出る燃えカスの除去や焙煎器のメンテナンスもほとんど手がかからない。また、直流２４Ｖのモーターを使用しているので自動車のバッテリーからも電源を取ることができ、アウトドアーでもコーヒーを楽しむことができる。
【図面の簡単な説明】
【００１１】
【図１】本発明に係るコーヒー豆焙煎器の正面図である。
【図２】コーヒー豆焙煎器の生豆注入時の状態図である。
【図３】コーヒー豆焙煎器の焙煎後取出し時の状態図である。
【発明を実施するための形態】
【００１２】
以下、図面を参照して本発明に係る実施の形態を説明する。図１は本発明に係るコーヒー豆焙煎器の焙煎時の形態図である。図２は生豆を焙煎ドラムに投入する時の形態図である。図３は焙煎後の豆の取出し時の形態図である。図１において、１の中心軸ドラムは４のバネによって中空軸ドラムに密着させられている。焙煎中に発生する豆の薄皮カスは主に中空軸ドラムの長穴から排出されカス受けに落下する。この中空軸とモーター出力軸に取り付けられたタイミングプーリーはタイミングベルトを介してモーターの回転が伝達される。電源スイッチが投入されると同時にドラムが回転を始めるのでその後、焙煎ドラムの下に設置されたアルコールランプに点火する。同時にタイマースタートスイッチを押す。約８分で豆の色が変わり始めパチパチと煙を上げ始めるので豆の色を見ながら希望の色のところでアルコールランプの火を消す。
【産業上の利用可能性】
【００１３】
他の雑穀類、豆類、茶葉等でも煎りなおして風味を良くすることができる。
【符号の説明】
【００１４】
１  中心軸ドラム 
２  中空軸ドラム
３  中心軸
４  バネ
５  直流ギヤードモーター
６  モーター軸タイミングプーリー
７  中空軸タイミングプーリー
８  タイミングベルト
９  電源スイッチ
１０  ヒューズ
１１  直流電源
１２  タイマー
１３  タイマースタートスイッチ
１４  アラーム停止スイッチ
１５  カス受け
１６  アルコールランプ
【図１】
2011223937.tif 000003
【図２】
2011223937.tif 000004
【図３】
2011223937.tif 000005
(57)【要約】      （修正有）【課題】スライドレールの形状の型形状にすることにより取り付け場所が自由に選択可能であり、取り付け状態が見えにくく装着仕様であり、レールが見えにくい状態でスライドできるスライドレール及びスライドレールを任意の個所で固定して止める。【解決手段】固定側レール本体１のガイド溝部２に外れ防止部ガイド溝部２ａを付けて側面視「の」の字状に形成し、移動レール側も同形状としたものを上下逆にしてそれぞれが噛み合うように係合させ、取付本体６に取り付ける。【選択図】図１
2011223966.tif 000002
【特許請求の範囲】
【請求項１】
固定レール（の字型）に複数の溝があり左右方向の内壁をスライドする構成のスライドレールの字同士の組み合わせにより、左右方向を移動することによるスライドレールを形成するとともに、該ガイド溝にお互いが噛み合い外れない構造を特徴とするスライドレール
【請求項２】
前記の字型固定レールは、の字型同士が摺動自在に抱合できるように、の字型に内側に屈曲させ、同一の、の字型同士を抱合したことを特徴とする請求項１記載のスライドレール
【請求項３】
前記スライドレールは、縦・横・斜め上下左右に装着することができるようにスライドレールの双方が移動レールとなる組み合わせたことを特徴とする請求項１または２記載のスライドレール
【請求項４】
前記スライドレールは、取り付け方法と取り付け方向が選択可能となるように、取付け孔をスライド部の（４）側壁の任意の場所に穴を設置したことを特徴とする請求項１乃至３記載のスライドレール
【請求項５】
前記スライドレールの、の字型同士を固定するために、任意の片方の（７）ネジによりネジをねじ込む事により、ストッパーになる。固定ビスを任意の個所に設け固定ビスによりねじ込むことにより、固定できることが可能となるようにしたことを特徴とする請求項１乃至４記載のスライドレール
【請求項６】
前記スライドレールを使用した商品で強度保持金具として（２０）のアジャスターを左右、上下に複数個用いて突っ張り状態になる衝立などのように薄い物には安定性を増し転倒防止を防げることを特徴とする請求項１乃至５記載のスライドレール
【発明の詳細な説明】
【技術分野】
【０００１】  本発明は、ペットケージ類もスライドにより大きさを任意で調節できる利便性を図ったケージに関する。
【背景技術】
【０００２】
【先行技術文献】
【特許文献】
【０００３】
【特許文献１】
【特許文献２】
【非特許文献】
【０００４】
【非特許文献１】
【非特許文献２】本発明は、ペット用サークル、ケージ、犬舎、猫舎、小動物ケージ、ペット用衝立に使用されるスライドレールに関し、特に安価で強度を保持する機構のスライドレールであって、薄くすることができ、ストッパー機能を有するスライドレールに関する。
【発明の概要】
【発明が解決しようとする課題】
【０００５】上記の問題を解決するために本発明のスライドレールは、スライドレールの形状を「の」型形状にすることにより強度をまし、尚且つ薄型になり、取り付け場所が自由に選択可能であり、取り付け状態が見えにくい装着仕様であり、レールが見えにくい状態でスライドできるスライドレールを提供することを目的としている。
【問題を解決するための手段】
【０００６】上記の目的を達成するために本発明に係るスライドレールは、変形「の」の字型を組み合わせ左右方向の内壁をスライドする構成に使われるスライドレールであって、スライドレールの「の」の部分を逆に噛み合わせることにより左右方向に摺動可能に嵌合させた構造である。
スライドレール複数個を組み合わせることにより梯子の様に２段階から複数段階に調節が可能。
また、前記スライドレールは、複数個装着することによりガードレールとしての機能を持ちスライドレール同士を表裏に組み合わせた構成とすることもできる。
また、前記スライドレールは、取り付け方法と、取り付け方向が選択可能であるように、取付け孔をスライドレールの任意の場所に設け図１の４に示すように任意の個所にネジ穴用開口部を設けネジを用いて任意の個所に固定できる構成も有する。
【発明の効果】
【０００７】１．スライドレールをの型形状にしたことにより、薄くて安価で耐荷重に優れたスライドレールを提供することが出来ると共にスライドレールを見えにくくすることが可能となった。
２．また、取り付け場所、取り付け方向が自由に選択することが可能となったので、従来問題となっていた垂直方向（重力方向）に加重な荷重が掛かった場合にも心配がないという利点がある。
３．形状がの型になったため荷重が適度に分散され、耐久度が高く壊れにくい構造になった。
４．取り付け方法と取り付け箇所を任意に選択することが可能となったため、省スペースとなり、また従来スライドレールが設置困難であったような箇所にも設置することが可能となった。
５．スライド部に任意の個所に開口穴を設けスライド部を固定するため、固定用ビスを取り付ける箇所を任意に選択することが可能となった構成も可能である。
【図面の簡単な説明】
【０００８】
【図１】  断面図、本体組み込み図
【図２】  使用実施図（単体使用例）
【図３】  使用実施図（連続使用例）
【発明を実施するための形態】
【０００９】
【実施例１】
【００１０】以下、添付図面を参照しながら、本発明の実施の形態を詳細に説明する。
【実施例２】
【００１１】図においては、１は「の」型の内部の内側を複数設け強度保持を図った、同一のレール同士を噛み合わせるため、レール同士が一体となり強度が増す構造である。
【産業上の利用可能性】
【００１２】
【符号の説明】
【００１３】１、固定レール本体（のの字レール）            ２０、固定用アジャスター
１ａ、固定レール本体（のの字レール）          ２１、固定用ねじ穴
２、ガイド溝部                                ２１ａ、固定用ナット
２ａ、ガイド溝部（外れ防止）                  ２２、金網
３、移動レール走行面
３ａ、移動レール接地面
４、留め具用ビス穴
５、留め具ビス
６、取り付け本体
６ａ、取り付け本体
７、固定用ねじ
８、固定用ねじ穴
９、固定用ナット
１０、固定用ビス接地面（ストッパーの役割）
【受託番号】
【００１４】
【図１】
2011223966.tif 000003
【図２】
2011223966.tif 000004
【図３】
2011223966.tif 000005
(57)【要約】【課題】  いぶり大根の漬物の独特な風味、歯触り、香りを損ねずその長所を生かし、チーズの旨味と大根葉の栄養素を加え、その長所を生かした全く新たな食感覚・旨味感覚のほか栄養的にも優れかつ消費者の多様なニーズに対応し、消費者が手軽に食することのできる新たな加工食品を提供する。【解決手段】  いぶり大根の漬物をスライスした主材料とし、粉チーズと大根葉の粉末を混合したものを副材料とし、該副材料を該主材料で包み込み、殺菌工程を経た後、低温に保持した室内等において数日間熟成することにより得られるいぶり大根の漬物の加工食品。【選択図】なし【特許請求の範囲】
【請求項１】
いぶり大根の漬物をスライスしたものを主材料とし、大根葉の粉末と粉チーズとを組み合わせて混合したものを副材料とし、該副材料を該主材料で包み込んだことを特徴とするいぶり大根の漬物の加工食品
【発明の詳細な説明】
【技術分野】
【０００１】  本発明は、いぶり大根の漬物を主材料として副材料と組み合わせて成る加工食品に関するものである。
【背景技術】
【０００２】  いぶり大根の漬物は秋田県の名産品として有名であるが、通常単なる漬物としてそのままの姿形かスライスされた商品として流通しているに過ぎず、名産品であるが故に生産者の工夫が凝らされた味付けの他は、特段の工夫がなされていないのが現状であり、この味付けしたいぶり大根の漬物としてカレー味を付加した製品を本件発明者が先に公開しているのが例外的である。（特許文献１）
【先行技術文献】
【特許文献】
【０００３】
【特許文献１】  特開２００８−２３７２００号  公開公報
【発明の概要】
【発明が解決しようとする課題】
【０００４】  昔から伝承されてきたいぶり大根の漬物ではあるが、近年若者の漬物離れにより、消費は低迷状態にある。いぶり大根の漬物を食べやすくまた嗜好の変化にも対応する商品開発を通じて消費拡大を図ることにより、地元農家も大根栽培・収穫に意欲を持つことにもなり、東北地方の農業振興の一翼を担うことを念頭に、いぶり大根の漬物を主材料とする新たな加工食品を提供するものである。
また、通常使用されない大根葉を活用する事により廃棄物を少なくしエコ活動を積極的に取り入れるほか、栄養的にも優れかつ消費者の多様なニーズを考慮し、バラエティーに富んだ商品を実現しようとするものである。
【課題を解決するための手段】
【０００５】  いぶり大根の漬物の独特な風味、歯触り、香りを損ねずその長所を生かしたいぶり大根の漬物をスライスしたものを主材料とし、大根葉の粉末と粉チーズとを組み合わせて混合したものを副材料とし、該副材料を該主材料で包み込んだことを特徴とするいぶり大根の漬物の加工食品を提供するものである【０００６】  この発明で使用するいぶり大根の漬物とは、無化学肥料（有機微生物栽培）で栽培された大根を、同じく無化学肥料で作った秋田こまちの米糠または米麹を用い、昔ながらの製法で手間ひまかけてじっくり漬け込んだいぶり大根の漬物であり、その一般的な製法は大根を藁で編んだ縄に固定し天井から吊し、下から薪等を焚いてその煙で燻製にさせ、塩と米糠または米麹を用いた床で最低５０日以上漬け込んでなる安心、安全、からだに優しい漬物を言う。
【発明の効果】
【０００７】  現在に至るまで、いぶり大根の漬物は単なる漬物としての認識しか及ばなかったが、チーズを組み合わせることで洋風のいぶり大根の漬物の加工食品が得られることになる。
また、従来廃棄されていた大根葉を有効利用する事により、大根葉の栄養素が見直され、他の緑黄色野菜（ほうれん草）と比較しても、ビタミンＣ、ビタミンＥ、カルシウム、ナトリウムなどが豊富であり（五訂日本食品標準成分表より）、該大根葉の粉末とチーズと組み合わせる事により、チーズ本来の味が旨味を増し、まろやかさを引き出し、いぶり大根の漬物を引き立てる事ができる。
このことにより準和風のいぶり大根の漬物が洋風的感覚の漬物にもなり、いぶり大根の消費拡大に貢献し、ひいては大根栽培農家の栽培意欲や所得の増加に繋がる事が予想される。
【発明を実施するための形態】
【０００８】  以下、本発明の実施の形態を実施例に基づいて説明する。
【実施例】
【０００９】  まず、いぶり大根の漬物を０．８〜３ｍｍの厚さに輪切りにし、スライス形状にする。このスライス形状のいぶり大根の漬物が以下に示す副材料を包み込む主材料となる。【００１０】  本件発明の副材料は粉チーズと大根葉の乾燥粉末を組み合わせて創世する。
副材料として粉チーズ５０ｇ〜５００ｇに対し、大根葉の乾燥粉末を５ｇ〜１００ｇの割合で添加し、略均一となるよう攪拌・混合する。
本件発明の大根葉の乾燥粉末とは、従来廃棄されていた大根葉を清水で洗浄し、水切り乾燥した後に粉末機にかけて粉末としたものである。粉末化された大根葉の粒径は略１〜３ｍｍ程度が最適であるが、噛み応えを得るためには適宜な粒径又は大きさとすることも可能である。
また、使用する粉チーズはナチュラルチーズ１００％の粉チーズ（プロセスチーズ）を用いることで対応可能であり市販されているもので十分である。
なお、好みに応じて各種のチーズ又はその代用品を用いても良く本件発明にはそれらを全て包摂するものとする。【００１１】  該主材料であるスライスしたいぶり大根の漬物の略中央に０．５〜３ＣＣ程度の量の粉チーズと大根葉の乾燥粉末と混合して得た副材料を置き、二つ折りに包み込んで本発明の目的物であるいぶり大根の漬物を主材料とした加工食品の原型を創世できる。
なお、包み込む形状は二つ折りが最適であるが、本件発明においては特に包み込み形状を特定せず、あらゆる形状を包摂するものである。【００１２】  前記で創世された加工食品の原型を、トレーに必要個数を並べ、ポリエチレン袋で真空パックし、袋ごと６０Ｌ〜９０Ｌの温度帯まで昇温して煮沸し、この設定温度を保ちながら１０分〜３０分間経過させた後、５Ｌ〜１０Ｌの水に浸漬して該水を攪拌しながら３０分〜９０分間冷却する工程を経て殺菌を完了させる。【００１３】  なお、前記の工程を経ることにより副材料として構成する大根葉とチーズの旨味成分が主材料であるいぶり大根の漬物に浸透し、その後、１０Ｌ〜２０Ｌの低温環境に保持した室内等において数日間の熟成工程を経る事により、より一層のいぶり大根の漬物としての主材料と副材料との旨味の一体化が図られ、いぶり大根の漬物の独特な風味、歯触り、香りを損ねずその長所を生かした全く新たな食感覚・旨味感覚のほか栄養的にも優れかつ消費者の多様なニーズに対応し、バラエティーに富んだ商品としてのいぶり大根の漬物の加工食品を提供できる。
(57)【要約】【課題】  釣り竿には釣りの対象魚に応じて竿の調子、しなやかさの違いがある多種の竿が開発されている、多種の釣りで釣果を上げるには調子の違う何本もの釣り竿が必要になってくる。  一本の釣り竿で竿調子を変える事の出来る釣り竿の開発をする。【解決の手段】  釣り竿の多くは対象魚により竿調子の違いがある、一本の釣り竿で構造的に竿調子を変えることが出来れば大変便利である。  中空構造の釣り竿の中に交換出来る心竿を通して二重構造をつくり、心竿の長さ・しなやかさ・強度の異なるものを交換する事で様々な竿調子を生み出せるようにした。【選択図】図１
2011223968.tif 000002
【特許請求の範囲】
【請求項１】
中空構造の釣り竿の中に交換式心竿を通した二重構造の釣り竿で、長さや太さ及びしなやかさの異なる心竿を交換する事により、釣り竿の調子や強度を変える事の出来る釣り竿
【発明の詳細な説明】
【技術の分野】
【０００１】  本発明は、一本の釣り竿で用途に応じて竿の調子を変える事の出来る釣り竿に関する。
【背景の技術】
【０００２】  今日の釣りでは釣りの対象魚に応じた多種の釣り竿が開発されている、多くの魚種に合った釣りをするためには何本もの釣り竿が必要になる、しかしその大半の釣り竿の特色は竿のしなやか度、即ち調子の違いにある。
【発明の開示】
【発明が解決しようとする課題】
【０００３】  一本の釣り竿で竿調子を幅広く変える事が出来れば他種類の対象魚釣りに対応できる事から、竿調子を可変出来る釣り竿の実現が課題である。【０００４】本発明は、この課題を解決するため釣り竿の内部構造を変化させる事により、しなやか度及び強度を変えることの出来る釣り竿の実現を目的とする。
【課題を解決するための手段】
【０００５】  本発明は、上記の目的を達成するため、中空構造の釣り竿の中にもう一本の交換出来る心竿を通し、交換心竿として、長さ・しなやかさ・強度の異なる数種を揃え、心竿を交換する事で竿調子、および強度の異なる釣り竿を実現させることにした。【０００６】  本発明は、２本繋ぎの釣り竿の場合は先竿ともと竿の部分に繋ぎピースを組み込み、先竿に入る部分に心竿をねじ込むようにした。【０００７】  本発明は、ワンピースロッドの場合は尻栓部に心竿をねじ込む事で、竿全体の調子を変えることが出来る。【０００８】  本発明は、使用時に心竿が釣り竿内で不規則な振動やそれに伴う雑音などの発生防止のため心竿の長さに応じて複数のソフトパッキンを装着した。
【図面の簡単な説明】
【０００９】
【図１】全体図
【図２】心竿図
【符号の説明】
【００１０】  １  心竿
２  先竿
３  先竿・もと竿繋ぎピース
４  もと竿
５  ネジ部
６  ソフトパッキン
【図１】
2011223968.tif 000003
【図２】
2011223968.tif 000004
(57)【要約】【課題】従来のスイッチング電源は、出力安定用の出力電圧検出用シャントレギュレーターに接続されたフォトカプラのダイオードに、出力電圧が上昇すると電流を増加させ、フォトカプラのトランジスタに接続された電源制御用集積回路が出力を安定供給しているために、無負荷時でもフォトカプラのダイオードは常時電力を消費する問題があった。【解決手段】出力電圧検出用集積回路は、出力電圧が許容値未満になると、出力電圧検出信号フィードバック用フォトカプラのダイオードに流す電流を増加させ、出力電圧が許容値以上になると、出力電圧検出信号フィードバック用フォトカプラのダイオードに流す電流を低減させることにより、無負荷時の消費電力を低減させる手段。【選択図】図１
2011223851.tif 000002
【特許請求の範囲】
【請求項１】
スイッチング電源の出力電圧検出信号フィードバック用フォトカプラのダイオードに、検出した出力電圧が許容値未満の場合には電流を流し、許容値以上の場合は出力電圧検出信号フィードバック用フォトカプラのダイオードに流す電流を低減する回路。
【発明の詳細な説明】
【技術分野】
【０００１】本発明は、スイッチング電源における無負荷出力時の消費電力を低減する回路構成に関する。
【背景技術】
【０００２】従来のスイッチング電源は図２のように、出力安定用の出力電圧検出用シャントレギュレーターＩＣ４は、出力が上昇するとＩＣ４に接続されたフォトカプラＰＣ２０１のダイオードに電流を増加させ、出力電圧検出信号フィードバック用フォトカプラＰＣ２のトランジスタのコレクタに接続されている電源制御用集積回路ＩＣ３のフィードバック端子ＦＢ２の電圧が低下し、低下量に応じて一定周波数で動作しているスイッチング素子Ｑ２のオフ時間デューティーが大きくなり、出力電圧を安定供給することができる。
【発明の概要】
【発明が解決しようとする課題】
【０００３】上述のスイッチング電源では、スイッチング効率を改善し、電源制御用集積回路ＩＣ３の消費電流を低減しても安定した出力を供給するための出力電圧検出用シャントレギュレーターＩＣ４と、出力が上昇するとＩＣ４に接続されたフォトカプラＰＣ２０１のダイオードに電流を供給し続けるために、電力を消費しなければならない問題があった。【０００４】本発明は、このような従来の構成が有していた問題を解決しようとするものであり、スイッチング電源の無負荷定格出力時に、消費電力の低減を向上させたものである。
【課題を解決するための手段】
【０００５】そして本発明は上記目的を達成するために、スイッチング電源の出力が安定した出力を供給している時は、フォトカプラのダイオードに、流れる電流を低減した回路構成としたものである。
【発明の効果】
【０００６】上述したように、定格出力電圧では、フォトカプラのダイオードには電流を低減しているので、無負荷時の消費電力を低減したスイッチング電源を提供できる。
【図面の簡単な説明】
【０００７】
【図１】本発明の回路図
【０００８】
【図２】従来の回路図
【０００９】
【図３】従来の出力電圧と２次側回路消費電流
【００１０】
【図４】本発明の出力電圧と２次側回路消費電流
【発明を実施するための最良の形態】
【００１１】以下、本発明の実施の形態を適用したスイッチング電源の一例を、図１に基づいて説明する。【００１２】この回路は、フライバックコンバータであり、Ｔ１は、１次側に蓄積されたエネルギーを２次側へ伝達するためのコンバータトランス、Ｑ１は、スイッチング素子であるＦＥＴ、Ｃ１は、電源入力平滑用コンデンサ、Ｃ２は、２次側出力平滑用コンデンサであり、ＩＣ１は電源制御用集積回路、ＩＣ２は出力電圧検出用集積回路であり、Ｒ１とＲ２の抵抗器は出力電圧検出用集積回路ＩＣ２内の基準電圧と比較するために、出力電圧を分圧するために設けられたものである。ＰＣ１とＰＣ１０１は、２次側回路に電圧を安定供給するための信号を１次側にフィードバックする出力電圧検出信号フィードバック用フォトカプラであり、Ｒ３はフィードバック用フォトカプラＰＣ１０１のダイオードに流れる電流を設定する抵抗器である。【００１３】出力電圧が上昇し、出力電圧検出用集積回路のＩＣ２に接続されている抵抗器Ｒ１と抵抗器Ｒ２の分圧電圧がＩＣ２である出力電圧検出用集積回路の端子Ｓに入力され、ＩＣ２である出力電圧検出用集積回路内の基準電圧に近づくと、出力電圧検出用集積回路ＩＣ２に接続された出力電圧検出信号フィードバック用フォトカプラＰＣ１０１のダイオードに流れる電流が減少して、該フォトカプラＰＣ１のトランジスタが接続されている電源制御用集積回路ＩＣ１のフィードバック端子ＦＢ１の電圧が増加し、増加量に応じて一定周波数で動作しているスイッチング素子Ｑ１のオフ時間デューティが大きくなるように回路構成された電源制御用集積回路ＩＣ１は、出力電圧を安定供給することができる。【００１４】図４に、本発明の実施例によるスイッチング電源の動作状態と時間との関係を示す。また、図３に従来例によるものを示す。図３と図４を比較すると明らかなように、図４は２次側回路電流が低減されることで、無負荷時の消費電力を低減することができる。
【符号の説明】
【００１５】Ｑ１    ＦＥＴ
Ｑ２    ＦＥＴ
Ｃ１    電源入力平滑用コンデンサ
Ｃ２    ２次側出力平滑用コンデンサ
Ｃ３    電源入力平滑用コンデンサ
Ｃ４    ２次側出力平滑用コンデンサ
ＩＣ１  電源制御用集積回路
ＩＣ２  出力電圧検出用集積回路
ＩＣ３  電源制御用集積回路
ＩＣ４  シャントレギュレーターＩＣ
ＰＣ１  フォトカプラ
ＰＣ１０１  フォトカプラ
ＰＣ２  フォトカプラ
ＰＣ２０１  フォトカプラ
Ｒ１    抵抗器
Ｒ２    抵抗器
Ｒ３    抵抗器
Ｒ４    抵抗器
Ｒ５    抵抗器
Ｒ６    抵抗器
ＦＢ１  フィードバック端子
ＦＢ２  フィードバック端子
Ｔ１    コンバータートランス
Ｔ２    コンバータートランス
【図１】
2011223851.tif 000003
【図２】
2011223851.tif 000004
【図３】
2011223851.tif 000005
【図４】
2011223851.tif 000006
(57)【要約】【課題】  現代農業に欠かせない農機具にコンバインがあげられる。収穫から脱穀、袋詰めまたは一時保管までを１台の機械でおこなう。稲作などの省力化には重要な装置だが、機構が複雑で価格も高く、農家の営農上の大きな負担になっていることも否めない。従来の自脱型コンバインは、収穫機に脱穀機を組み合わせたもので、主に動力式の脱穀機を利用している。そのため刈り取り機から脱穀機までの運送手段が複雑になり、特に多条刈りの場合にはそれが顕著になる。【解決手段】  刈り取り部で少量の単位で把持され、切断された稲などは把持チェーンで上部に移動し、方向を変えて脱穀部に入る。そこで把持チェーンの索引力を利用して、多段式の千歯こぎの中を通り抜ける間に脱穀は完了する。その後藁カッターで藁を切断し、その場に廃棄する。上記の作業は小型エンジンや、１台の電動モーターでおこなうことができる。つまり歩行型の電動１条刈りコンバインから、１０条などの多条刈り大型コンバインまで、同じ機構を並べるだけで対応が可能である。【選択図】  図１
2011223878.tif 000002
【特許請求の範囲】
【請求項１】
刈り取り用の刃具、把持コンベア、脱穀機などを一体化した装置。
【発明の詳細な説明】
【技術分野】
【０００１】
農業用機械に関する分野 
【背景技術】
【０００２】
農業用の省力化機器に関する自動化技術および制御技術。
【発明の開示】
【発明が解決しようとする課題】
【０００３】
現代農業に欠かせない農機具にコンバインがあげられる。収穫から脱穀、袋詰めまたは一時保管までを１台の機械でおこなう。稲作などの省力化には重要な装置だが、機構が複雑で価格も高く、農家の営農上の大きな負担になっていることも否めない。従来の自脱型コンバインは、収穫機に脱穀機を組み合わせたもので、そのため刈り取り機から脱穀機までの運送手段が複雑になり、特に多条刈りの場合にはそれが顕著になる。
【課題を解決するための手段】
【０００４】
そこで、機構を見直し、簡潔な構成にすることを考えた。脱穀機を簡易な構造にし、一対の把持チェーンを刈りとり部から脱穀部まで共用することで機構を簡素化した。刈り幅を最小２００ｍｍ程度まで短縮できるような構造なので、応用範囲を広げることができる。
【０００５】
セパレータを通った稲などは、刈り取り部で少量の単位で把持され、切断された後、把持チェーンで上部に移動し、方向を変えて脱穀部に入る。そこで把持チェーンの索引力を利用して、多段式の脱穀機の中を通り抜ける間に脱穀は完了する。その後藁カッターで藁を切断し、その場に廃棄する。上記の作業は小型エンジンや、数台の電動モーターでおこなうことができる。つまり歩行型の電動１条刈りコンバインから、１０条などの多条刈り大型コンバインまで、同じ機構を並べるだけで対応が可能である。多条型の場合は穀物移送装置などと併用すれば、簡単に袋詰め式から貯蔵式にも対応ができる。
【発明の効果】
【０００６】
このようにすることで、１条刈りの脱穀を含めた機構が非常に狭い幅に収めることができ、多条刈りにも簡単に対応できる。電動化すれば単に条幅に合わせて設置し、トラクタなどの前に取り付ければ、自脱型のコンバインができあがり、専用のボディなどは必要がなくなるので、価格を引き下げられる効果もある。もちろん専用機の方が便利さは向上するがコストも上昇する。それでも従来型のコンバインに比べれば、かなり低価格で自脱型コンバインを構成することができる。また機構が簡単になることで、エネルギー効率も当然良くなり、田圃の畦などにソーラーパネルを設置し充電ステーションを構築し、充電式バッテリーユニットを交換するようにすれば、環境対応型の電動システムも簡単に構築できる。まさしく未来型環境対応農機具だと言える。
【産業上の利用可能性】
【０００７】
現在農業従事者は高齢化し、新たな参入者についてはいろいろな障壁があり難しい状況である。その障壁のひとつに農業機械の高価格化が挙げられる。重要な稲や小麦の作付け、収穫に低コストな農機具が使えることは非常に意義のあることで、農家にとっても福音である。従って、本装置の産業上の利用可能性は大である。 
【図面の簡単な説明】
【０００８】
【図１】機構部分の側面図。全体の構成図である。
【符号の説明】
【０００９】
１  一対の把持チェーン。稲などを挟んで移動させる。
２  多段式脱穀機
３  穀物収納袋
４  脱穀後の藁カッター
５  収穫用刈り取り刃
６  稲などを少量に分けるセパレータ
７  実の付いた部分を脱穀機に導くガイド
【図１】
2011223878.tif 000003
(57)【要約】      （修正有）【課題】従来より永久磁石のみを動力源とした発電装置は無く、如何にして発電を起こす事が出来るかが課題である。【解決手段】複数の回転体の周囲に永久磁石のプラスとマイナスとの磁極を交互に配置し、定点を固定してプラスとマイナスとの吸引、反発する事に着目しコントロールする事により、回転体に永続的な回転運動を起こす事ができる。その際、回転の抵抗を少なくするために回転ベクトルの直交化をもちい、かつ連動回転の精度を上げる為に連動するギヤシャフトを用いて連結する。発生する回転力をダイナモを通じて発電に変換する。【選択図】図１
2011223845.tif 000002
【特許請求の範囲】
【請求項１】
磁極を±交互に配したプレートＡとコアＢとを、作用点にて直角にモーメントを構え、磁気の吸引、反発作用を利用し、慣性力も利用して相互の回転力を起こし、その回転力を発電力に換える、永久磁石を用いた発電装置。
【発明の詳細な説明】
【技術分野】
【０００１】  本発明は、永久磁石のみを動力源とする発電装置である。
【背景技術】
【０００２】  従来の発電装置は、動力源として火力、水力、風力、潮力、太陽発電、また水素などがあるが、本発明は永久磁石を動力源とする画期的な発電装置である。【０００３】  未だかって永久磁石のみを動力源とする発電装置は造られていない。
【発明の概要】
【発明が解決しようとする課題】
【０００４】  永久磁石を動力源とする発電装置の理論的根拠と、実用の構造を明らかにし、実用出来る事を示すものである。
【課題を解決するための手段】
【０００５】  永久磁石を動力源とする発電装置の理論的説明が可能になるためには、ある状態に於いて（＋、−）磁極の吸引反発を利用し、回転を起こしかつ連続の運動を維持させる事である。以下図１を見て説明してゆく。【０００６】  回転プレートＡ  の外周に、磁気端子（＋）、（−）を交互に配置し、プレートの中心をシャフト２で固定する。【０００７】  回転コアＢの外周に、同じく  磁気端子（＋）、（−）を交互に配置し、中心をシャフト５で固定する。（プレートＡと区別するためにコアと呼ぶ）【０００８】  シャフト２とシャフト５の回転方向ベクトルを直角に配置し、回転プレートＡと回転コアＢの作用線をポイントＰにて交差するように設定して、回転を伝達ギヤシャフト３にて連結する。【０００９】  ポイントＰが回転プレートＡの端子（＋）と（−）の中間に位置するとき、端子（＋）の位置をＸ，端子（−）の位置をＹとし、ポイントＰに回転コアＢの端子に（−）を設定すると、プレートＡの端子（＋）とコアＢの端子（−）が作用して引き合い、プレートＡはＸからＰへ回転をおこす。（図  ２）【００１０】  ここでギヤシャフト３は、プレートＡのギヤから回転を同期して伝達してコアＢの回転をコントロールするものとする。【００１１】  プレートＡの端子（＋）が回転してＰに来た時、コアＢの端子（−）をギアシャフト３にてコントロールし、コアＢの磁気端子（±）の中間になる様にすれば磁引力は”０”になり、プレートＡは慣性のみでポイントＰを通過し、次にコアＢの端子が（＋）にコントロールされると、プレートＡの端子（＋）はコアＢの端子に反発しさらにＹ方向へ移動してゆくようになる。【００１２】  ここでプレートＡの端子（＋）とコアＢの端子（−）が作用する力を｛Ｆ｝とすれば、プレートＡの端子が  Ｘ、Ｐ、Ｙと動く時の｛Ｆ｝は図のグラフのようになる。（図  ３）【００１３】  ポイントＰでの｛Ｆ｝が”０”になるときにプレートＡの慣性エネルギーが回転方向にプラスに働き、かつプレートＡとコアＢとの作用線ベクトルが直角のため、回転力方向の抵抗は無く、プレートＡの端子（＋）がＹ迄移動すれば次のプレートＡの端子（−）がＸに来ているため連続のサイクルが可能になり、更に設定にて複数のセットをすれば｛Ｆ｝の”０”は補完プラス化出来る。【００１４】  生じた回転力はプレートＡのシャフトからダイナモ機構に連動し、発電力として蓄電装置に取り出すことができる。
【発明の効果】
【００１５】  前述のように  永久磁石を使うだけで回転力をとりいだす事に因り、別のエネルギーを使用することなく、その回転力を発電等に利用できた。
【図面の簡単な説明】
【００１６】
【図１】本発明の実施状態を示す構造図
【図２】プレートＡとコアＢとの作用関係説明図
【図３】回転力Ｆの増減変化状態の説明図
【発明を実施するための形態】
【００１７】  ポイントＰにて、プレートＡとコアＢをコントロールするギヤシャフト３を使う理由は、ポイントＰに於いての磁気精度の高さを求め、又シャフト等の固定を堅く構える事は、回転精度の狂いを防ぐために必要である。
【００１８】  発生する回転力はプレートＡの軸より取り出し、ダイナモに接続し発電力を蓄電し利用するものである。
【００１９】  補助モーターについては、バッテリーに蓄電した電力を僅かに利用し、プレート等のスムースな回転の補助力にするものである。
【００２０】  ある部分に於いては、オイルを利用して密閉し、精度の保護をはかれる。
【符号の説明】
【００２１】１  プレートＡの磁石
２  プレートＡのシャフト
３  回転の伝達用ギアシャフト
４  コアＢの磁石
５  コアＢのシャフト
６  発電装置
７  補助モーター
【図１】
2011223845.tif 000003
【図２】
2011223845.tif 000004
【図３】
2011223845.tif 000005
(57)【要約】【課題】負荷が多いほど電気の量が多いため、この負荷が多いところを切るという事は考えにくかったが、一次側の直流の入り切りで回転が軽くなる。これにソレノイドコイルを付けることで無負荷欠波発電機ができる。又自励式にすると直流にすることもできる。【解決手段】本考案は固定磁石（１）に直流（１０）の電流がローター（５）を介して流れると磁石となり回転子（２）が吸引されて惰力で〔図３〕のように固定子電磁石（１）の端に回転子（２）の中心が来たとき直流（１０）の電流がローター（５）の接点（４）が離れ電流が切れると惰力で磁極と磁極の間にくるとローター（５）も回転しながら接点（４）に接し電流が流れると又吸引され回転する。二次側（１１）に発生した交流はコイル（８）を通して欠波として波形の９０％が発電される。【選択図】図１
2011223847.tif 000002
【特許請求の範囲】
【請求項１】
電磁石への直流の断続で、電磁石の側を通過する回転子の負荷を無くすと波形が欠波になる事を特徴とする発電機。
【請求項２】
発電する交流の波形の位相を進ませる又は遅らせて、位相をずらした発電をすることを特徴とする発電機。
【発明の詳細な説明】
【技術分野】
【０００１】  回転に負荷のない発電機
【背景の技術】
【０００２】  現在も発電は負荷が多いほど発電量が多く、その負荷を磁極を多くする事で力を分散しているが、全体の負荷は同じである。
【発明の開示】
【発明が解決しようとする課題】
【０００３】  電力の需要が増えているため、水力、火力、原子力などを駆使して電力の需要を確保しているが、設備や燃料が多く使用され、地球環境や省エネルギーの問題が問われている。それらを解決する最も有効な手段は発電機の回転の負荷を無くすことである。
【課題を解決するための手段】
【０００４】本案は磁極に吸引される発電機の回転子が惰力で中心を通り過ぎ四分の一位のところが負荷が多くなる。そこでローターを通して固定子へ流れる直流を遮断すると惰力で磁極と磁極の間に来たらローターを通して直流が流れ、回転子が吸収され無負荷の回転をする。【０００５】磁石を使用するときは、合体した磁石と磁石付きコイルを固定子とし、回転子が吸引され負荷のかかるところでローターを通して直流を磁石付きコイルに流し、磁力を弱めて回転を軽くする。固定子と固定子の間に来たとき直流電流がローターで切れることで回り又吸引されます。波形の四分の一だけ電流を流すので電気の節約となる。
【発明の効果】
【実施例】
【０００６】回転に負荷のかからない状態で発電された電流の量は、波形全体の６０％しかでない。そこで発電される電流にソレノイドコイルを通すと波形が９０度遅れる事で、波形の四分の一を切るところが波形の終わりの少ない所を切るので９０％の発電量となる。【０００７】自転車などの発電機から発電される電流にソレノイドコイルをつけて負荷のライトを点灯すると５０％回転量が増える。この理由は波形が９０度遅れると磁石Ｎの中心まで磁石Ｓの電流が流れ、中心を過ぎると磁石Ｎの電流が流れる。鉄心の磁力が強いがソレノイドコイルを付けると磁石の中心が波形が最高で最大の電流となるため、離れるほど電流が弱くなるので回転が軽くなる。自転車の回転量は空回転で２．５回、ライト付きで１．７５回、ライト（ソレノイドコイル付き）で２．７５回。【０００８】本考案を使用することにより最高の回転でも余分の負荷がないのでエネルギーの節約になる。自励式で直流にして使用する事もでき、自家発電や自動車に取り付けることも可能となる。【０００９】現在多くの発電をするため、水力、火力、原子力を利用しているが、設備や燃料に多くの費用を要し、ＣＯ２の大気汚染、放射能汚染、設置場所住民との問題などがある。本考案はローターを通しての電流の入、切の繰り返しで負荷を簡単に軽くすることができ、問題の抜本的な解決になる。さらに自家発電も手軽にでき、現代の社会問題解決に大きく貢献できる。
【発明を実施するための最良の形態】
【００１０】一次側の直流がローターを通して固定子電磁石に流れ、回転子が吸引され負荷のかかるところでローターの接点が切れ、惰力で磁極と磁極の間に来たときにローターの接点が入りとなり再び回転する。二次側にでる交流にソレノイドコイルを付けることで、波形が９０度遅れで、発電量が増える。
【実施例】
【００１１】固定子電磁石（１）に電流（１０）が流れ、回転子（２）が吸引され、図３のように回転子（２）の中心が固定子電磁石（１）の端に来たときローター（５）に流れる電流が切れ、惰力で固定子電磁石（１）と固定子電磁石（１）の間に回転子（２）が来たときローター（５）の接点（４）が入りとなり、吸引され回転する。【００１２】磁石に合体した磁石付き固定子（９）に回転子（２）が吸引され〔図３〕のように磁石付き固定子（９）の端に回転子（２）の中心が来たとき磁石付き固定子（９）のコイルに一次側（１０）の直流を流して磁力を弱めて回転し、固定子（９）と固定子（９）の間に来たときローター（５）に一次側（１０）の直流が切れ回転する。【００１３】〔図１〕も〔図２〕もこのまま回転させても６０％位の電力量しか得られない。二次側（１１）の片方にソレノイドコイル（８）を付けると〔図４〕の９０度遅れの波形となり固定子（１）の中心は、電圧０の時電流は最高となる。電流が切断される部分が一番少ない所となりコイル（８）を付けるとこれが無い場合より９０％増加する。自転車に付けた場合、回転量は５０％増加する。
【図面の簡単な説明】
【００１４】
【図１】一次側直流を切る
【図２】一次側直流を入れる
【図３】回転子の位置と電流の入り切り
【図４】磁極と電圧と電流の波形
【符号の説明】
【００１５】１．  固定子電磁石
２．  回転子
３．  回転軸
４．  接点導体
５．  ローター
６．  枠
７．  絶縁体
８．  ソレノイドコイル
９．  磁石付き固定子
１０．一次側電流
１１．二次側電流
【図１】
2011223847.tif 000003
【図２】
2011223847.tif 000004
【図３】
2011223847.tif 000005
【図４】
2011223847.tif 000006
(57)【要約】【課題】  クリーンな電気エネルギーを持続的に供給することが可能な、磁力発電機を開発する。【解決手段】  複数の永久磁石を固定した回転子と複数のコイルを固定した外枠を複数組合せ、コイルの両極に磁界を作用させる発電機【選択図】図１
2011223848.tif 000002
【特許請求の範囲】
【請求項１】
複数の永久磁石を固定した回転子と複数のコイルを固定した固定子外枠を複数組合せ、連結してコイルの両極に磁界を作用させ回転軸を駆動して発電する発電機。
【請求項２】
請求項１において回転子磁石の磁界を固定子コイルの両極に対して同時に作用させた配列による発電機。
【請求項３】
請求項１において回転子磁石の磁界を固定子コイルの両極に対して同時に作用させないための回転子磁石と固定子コイルの不規則な配列による発電機。
【請求項４】
請求項１における発電機を電動機に機能変更して使用すること又は、機能を交互に変更して使用すること。
【発明の詳細な説明】
【技術分野】
【０００１】  永久磁石を固定した回転子と固定子コイルを交互に複数組合せる発電機
【背景技術】
【０００２】  従来の発電機は、コイルの一方の極側から電磁誘導を発生させている。
【先行技術文献】
【特許文献】
【０００３】
【特許文献１】  特開平２０００−２２８８６４
【発明の概要】
【発明が解決しようとする課題】
【０００４】  小型でより強力な発電能力の高い磁力発電機を提供する。
【課題を解決するための手段】
【０００５】  本発明は、永久磁石の持っているＳ極とＮ極の特性を活用し、回転軸を中心に永久磁石とコイルが交互になるよう、永久磁石を固定した回転子とコイルを固定した外枠を複数組合せて装着し、回転軸を駆動して発電する。コイルの両極に磁界を作用させ電磁誘導の発生を高める。
【発明の効果】
【０００６】  永久磁石のＳ極とＮ極の両極を活用する相乗効果により、発電能力のアップをはかり小型化が可能となる。また、発電能力の増減は、永久磁石を固定した回転子とコイルを固定した外枠を交互に連結して装着することでも可能となる。
これにより、利用する用途の範囲が拡大し、小型化により原材料等の省資源化も図れる。
【図面の簡単な説明】
【０００７】
【図１】本発明の構造図
【図２】図１のＡ−Ａ線に掛かる断面図
【図３】コイルの両極に対して、磁界を同時に作用させる配列の例図
【図４】コイルの両極に対して磁界を同時に作用させないための磁石とコイルの不規則な配列による例図
【発明を実施するための形態】
【０００８】  図１図２に基づいて、複数の永久磁石を固定した回転子と複数のコイルを固定した外枠を複数組合せコイルの両極に磁界を作用させ回転軸を駆動して発電する。
【実施例】
【産業上の利用可能性】
【０００９】  より小型で強力な発電を必要とするところに利用の可能性がある。なお、永久磁石と固定子コイルの組合せ方法、構造形体、回転軸受のベアリングの利用、永久磁石を固定する回転子の空気抵抗等の改善により発電機の消費エネルギーと発電能力の需給バランスの向上が期待できる。
【符号の説明】
【００１０】符号１、固定子コイル
２、永久磁石
３、固定子外枠
４、駆動回転軸
５、軸受
６、出力端子
７、永久磁石を固定した回転子
【図１】
2011223848.tif 000003
【図２】
2011223848.tif 000004
【図３】
2011223848.tif 000005
【図４】
2011223848.tif 000006
(57)【要約】      （修正有）【課題】電気自動車において、重いバッテリーを装着する必要をなくして、電気自動車自体のコストの低減と軽量化を実現する。【解決手段】磁石とコイルからなる振動発電機Ａを道路走行車線に２列にならべ、その中間線として道路に電線Ｂを埋める。この電線は、一般電車の架線のように、道路表面に接着する。振動発電機Ａによって発生された電気は電線Ｂに供給され、その電流が、電気自動車の車体下部に装着された、可動式のパンタグラフの役目を果たす金属性車輪に供給される。この一連のシステムにより、電気自動車のバッテリーには、走行中、つねに一定の電気が供給される。【選択図】図１
2011223849.tif 000002
【特許請求の範囲】
【請求項１】
走行している道路に敷設された電線から電気を常に補充されつつ走ることができる。
そのため、利点として、重いバッテリーを装着する必要性が薄れて、電気自動車の軽量化に貢献できる。
【請求項２】
この発明に使用される発電機は、（１）コイル等を用いた振動発電機、と、（２）ゴムなどに封入された水が車の重さのため排出され小型タービンを回すことによる発電機、の２種類とする。
【請求項３】
道路に敷設される電線（Ｃ）には、これら発電機からの電流以外に外部からの電気（例、各地の電力会社からの電力）をながすことも認める。
【発明の詳細な説明】
【技術分野】
【０００１】この発明は、従来の電気自動車が、搭載されたバッテリーに電気を充電してから走行するのに比べて、走行している道路に敷設された電線から電気を常に補充されつつ走ることができる。
そのため、利点として、重いバッテリーを装着する必要性が薄れて、電気自動車の軽量化に貢献できる。
【発明の概要】
【発明が解決しようとしている課題と手段】
【０００２】本発明は、基本的に、スピーカーのように、磁石とコイルからなる振動発電機（Ａ）を道路走行車線に、２列にならべるものとする。
この２列の間隔は、ほぼ一般の自動車の横幅に等しいものである。
この発電機（Ａ）が、ずっと間隔をおいて２列にならべられて、その中間線として道路に電線（Ｂ）が埋められている。
この電線は、一般電車の架線のように、道路表面に接着されている。
そして、この発電機（Ａ）の２列  と  電線（Ｂ）は、ところどころ電線（Ｃ）でつながれている。
それによって、振動発電機（Ａ）によって発生された電気が、つぎつぎに電線（Ｂ）に供給され、その電流が、電気自動車（Ｄ）の車体下部に装着された、可動式のパンタグラフの役目を果たす金属性車輪（Ｅ）に供給される。
この一連のシステムにより、電気自動車のバッテリーには、走行中、つねに一定の電気が供給されるわけである。
【図１】
2011223849.tif 000003
【図２】
2011223849.tif 000004
【手続補正書】
【提出日】平成22年6月16日(2010.6.16)
【手続補正１】
【補正対象書類名】明細書
【補正対象項目名】全文
【補正方法】変更
【補正の内容】
【発明の詳細な説明】
【技術分野】
【０００１】      この発明は、従来の電気自動車が、搭載されたバッテリーに電気を充電してから走行するのに比べて、走行している道路に敷設された電線から電気を常に補充されつつ走ることができる。
そのため、利点として、重いバッテリーを装着する必要性が薄れて、電気自動車の軽量化に貢献できる。
【発明が解決しようとしている課題と手段】
【０００２】      本発明は、基本的に、スピーカーのように、磁石とコイルからなる振動発電機（Ａ）を道路走行車線に、２列にならべるものとする。
この２列の間隔は、ほぼ一般の自動車の横幅に等しいものである。
この発電機（Ａ）が、ずっと間隔をおいて２列にならべられて、その中間線として道路に電線（Ｂ）が埋められている。
この電線は、一般電車の架線のように、道路表面に接着されている。
そして、この発電機（Ａ）の２列  と  電線（Ｂ）は、ところどころ電線（Ｃ）でつながれている。
それによって、振動発電機（Ａ）によって発生された電気が、つぎつぎに電線（Ｂ）に供給され、その電流が、電気自動車（Ｄ）の車体下部に装着された、可動式のパンタグラフの役目を果たす金属性車輪（Ｅ）に供給される。
この一連のシステムにより、電気自動車のバッテリーには、走行中、つねに一定の電気が供給されるわけである。
【図面の簡単な説明】
【０００３】
【図１】平面図
【図２】立面図
(57)【要約】【課題】天然繊維の白生地に、直接、スクリーン捺染で高品質の本藍による模様染めを可能にする方法を提供する。【解決手段】天然繊維製品に、本藍染料を含む糊を用いてスクリーン捺染するに際して、前記糊に還元剤とアルカリ助剤を含有させて捺染の後、還元処理と酸化処理で染める方法を特徴とする、天然繊維製品のスクリーン捺染による本藍染の模様染め方法。【特許請求の範囲】
【請求項１】
天然繊維製品に本藍染料を含む糊を用いてスクリーン捺染で模様染するに際して、前記糊の中に還元剤とアルカリ助剤を含有させて捺染の後、還元処理と酸化処理で染める方法を特徴とする、天然繊維製品のスクリーン捺染による本藍の模様染め方法。
【請求項２】
請求項１記載の還元剤が、ハイドロサルファイトを用いることを特徴とする、スクリーン捺染による本藍の模様染め方法。
【請求項３】
請求項１記載の酸化剤が、炭酸カリウムを用いることを特徴とする、スクリーン捺染による本藍の模様染め方法。
【請求項４】
請求項１記載の還元処理が、スクリーン捺染した天然繊維製品を、飽和蒸気で蒸して還元処理することを特徴とする、スクリーン捺染による本藍の模様染め方法。
【請求項５】
請求項１記載の酸化処理が、スクリーン捺染した天然繊維製品を、飽和蒸気で蒸して還元処理した後、過酸化水素を含む液中で酸化処理して染めることを特徴とする、スクリーン捺染による本藍の模様染め方法。
【発明の詳細な説明】
【技術分野】
【０００１】天然繊維製品のスクリーン捺染による、本藍の模様染め方法。
【背景技術】
【０００２】浸染による本藍の「発酵建」「化学建」による染色方法は確立しており、これまでよく行なわれている。
【背景技術】
【０００３】従来、本藍染は「発酵建」「化学建」の染色方法で無地に染め、濃く染めるには、浸染した後に酸化、乾燥を繰り返して染める方法。【０００４】その後、浸染で本藍を無地染した生地に、抜染で二度染めして模様にする方法が開発されているが、染め工程が複雑で工業化されていない。
【発明の概要】
【発明が解決しようとする課題】
【０００５】本発明は、従来の浸染による「発酵建」「化学建」の本藍染方法では出来なかった模様染を、スクリーン捺染による本藍の模様染で可能にする方法を提供することを課題とする。
【課題を解決するための手段】
【０００６】本発明では、天然繊維商品に本藍染料を含む糊で模様染するに際して、前記糊に還元剤とアルカリ助剤を含有させて捺染し、飽和蒸気で蒸して還元させ、酸化剤で酸化して染めることで前記課題を解決した。【０００７】還元剤はハイドロサルファイトの中でも、持久性及び取り扱いやすさの面から見て、ロンガリッドＣ、５％〜３０％の使用が特に好ましい。【０００８】アルカリ助剤としては、水酸化カリウム、水酸化ナトリウムもあるが、炭酸ナトリウム、５％〜２０％を使用するのが好ましい。【０００９】捺染された製品を還元させるには、飽和蒸気で５分〜３０分の蒸が好ましい。【００１０】還元した製品を酸化させるには、過酸化水素１％〜５％に浸した後、水洗、ソーピング、水洗、乾燥するのが好ましい。
【実施例】
【００１１】本発明の実施及び、染色堅牢度検査を行なう、使用生地は、天然繊維製品の綿デニム（厚手）を使用。
Ａ糊：ロンガリッドＣ８％、炭酸カリウム１０％、本藍染料１０％の糊
Ｂ糊：ロンガリッドＣ８％、炭酸カリウム１０％、本藍染料５％の糊
Ａ・Ｂの糊で、前記綿デニム生地に２枚の型を使ってスクリーン捺染で模様染し、飽和蒸気で５分間蒸した後、過酸化水素１％溶液に浸した後、水洗、ソーピング、水洗、乾燥した本藍の模様染製品を試作した。
染まり具合を見るのに、日本化学繊維検査協会で行なった検査結果は、表−１に示すとおりである。
【表−１】
2011162930.tif 000002
【００１２】この発明に係る天然繊維製品のスクリーン捺染による本藍の模様染め方法は、染色堅牢度試験（表−１）の結果から見て、高品質の本藍染ができ、実用に耐えることが証明された。
【産業上の利用・可能性】
【００１３】従来の本藍染は、浸染で無地に染めることしか出来なく、模様を染めるには、前記の無地染した生地に抜染で二度加工して模様を染めなければならず、手間がかかりコストが高く、工業化できない。
この発明に係るスクリーン捺染による本藍の模様染め方法を使えば、本藍染の工業化が可能となり、アパレル、インテリア、きもの、小物業界の新商品として提供できる。